(57)【要約】    【課題】熱膨出を生じさせた低浮上量の状態で、磁気ディスクに対して確実に書き込みをなし得る磁気ヘッドドライブ回路及びこれを用いた磁気ディスク装置を提供する。    【解決手段】書込み回路３は、書込みデータ信号Ｓｗが入力され、入力された信号に基づき、書込み電圧Ｗｘ、Ｗｙを生成して出力する。書込み電圧Ｗｘ、Ｗｙは、磁気記録の1セクタ毎に、プリアンブル部Ｔ１、シンクマーク部Ｔ２及びユーザデータ部Ｔ３で構成される。構成において、プリアンブル部Ｔ１における信号の周波数ｆ２は、ユーザデータ部Ｔ３における信号の周波数ｆ１の（１/２）よりも高周波の周波数である。【選択図】      図１
2005251312.tif 000002
【特許請求の範囲】
【請求項１】
書込み回路を含む磁気ヘッドドライブ回路であって、
前記書込み回路は、書込みデータ信号が入力され、前記入力された信号に基づき、書込み電流を生成して出力する回路であり、
前記書込み電流は、磁気記録の1セクタ毎に、プリアンブル部及びユーザデータ部を含み、
前記プリアンブル部は、準備区間であり、
前記ユーザデータ部は、記録すべきデータのための部分であり、前記プリアンブル部よりも時間的に後に生成され、
前記プリアンブル部における信号の周波数ｆ２は、前記ユーザデータ部における信号の周波数ｆ１の（１/２）の周波数よりも高周波の周波数である
磁気ヘッドドライブ回路。
【請求項２】
請求項1に記載された磁気ヘッドドライブ回路であって、前記プリアンブル部における信号の周波数ｆ２は、前記ユーザデータ部における信号の周波数ｆ１の（１/２）の周波数の整数倍である磁気ヘッドドライブ回路。
【請求項３】
書込み回路を含む磁気ヘッドドライブ回路であって、
前記書込み回路は、書込みデータ信号が入力され、前記入力された信号に基づき、書込み電流を生成して出力する回路であり、
前記書込み電流は、磁気記録の1セクタ毎に、プリアンブル部及びユーザデータ部を含み、
前記プリアンブル部は、準備区間であり、
前記ユーザデータ部は、記録すべきデータのための部分であり、前記プリアンブル部よりも時間的に後に生成され、
前記プリアンブル部における信号の周波数ｆ２は、前記ユーザデータ部における周波数ｆ１の（１/２）の周波数の高調波の成分ｆ３を重畳された
磁気ヘッドドライブ回路。
【請求項４】
請求項1乃至３の何れかに記載された磁気ヘッドドライブ回路であって、更に読出し回路を含む磁気ヘッドドライブ回路。
【請求項５】
磁気ヘッドドライブ回路と、磁気ヘッドと、磁気ディスクとを含む磁気ディスク装置であって、
前記磁気ヘッドドライブ回路は、請求項1乃至４の何れかに記載されたものであり、
前記磁気ヘッドは、前記磁気ヘッドドライブ回路から供給される前記書込み電流によって、前記磁気ディスクに磁気記録を与える
磁気ディスク装置。
【発明の詳細な説明】
【技術分野】
【０００１】
本発明は、磁気ヘッドドライブ回路及び磁気ディスク装置に関する。より詳しくは、磁気ヘッドドライブ回路の改良に係る。
【背景技術】
【０００２】
浮上型薄膜磁気ヘッドは、通常、スライダの空気流出端側に、誘導型電磁変換素子でなる書き込み素子と、読み取り素子とを備える。誘導型電磁変換素子は、保護膜によって覆われている。保護膜は、アルミナ等の無機系絶縁材料でなり、空気流出端側において最外側層を構成する。
【０００３】
誘導型電磁変換素子は、第１及び第２の磁性膜、ギャップ膜、コイル膜、及び絶縁膜等を含む。第１の磁性膜及び第２の磁性膜は、スライダの空気ベアリング面（以下ＡＢＳと称する）側の端部がギャップ膜を間に挟んで対向し、それによって書き込みポール端を構成する。
【０００４】
また、第２の磁性膜は、第１の磁性膜との間に間隔を保って、ＡＢＳの後方に延び、後方結合部において第１の磁性膜に結合される。
【０００５】
コイル膜は第１及び第２の磁性膜の間の間隔（インナーギャップ）を通り、後方結合部の周りを渦巻き状に回っている。コイル膜の両端は、端子導体（バンプ）を介して外部に引き出される。絶縁膜は第１の磁性膜と第２の磁性膜との間のインナーギャップを埋めている。コイル膜はこの絶縁膜の内部に埋設されている。また、第２の磁性膜は絶縁膜の表面に形成されている。
【０００６】
上述した薄膜磁気ヘッドを用いて、磁気ディスクに対し情報を書き込むには、誘導型電磁変換素子のコイル膜に書き込み電流を供給する。
【０００７】
ところが、誘導型電磁変換素子のコイル膜に書き込み電流を供給した場合、コイル膜がジュール熱によって発熱する。前述したように、コイル膜は、例えば有機系絶縁材料でなる絶縁膜の内部に埋設されており、しかも絶縁膜を含めた全体が、アルミナ等の保護膜によって覆われているから、コイル膜に発生した熱の放熱性が悪い。このため、コイル膜に発生した熱が内部に籠り、コイル膜及び絶縁膜が熱膨張する。
【０００８】
更に、このコイル発熱に加えて、コアに発生する渦電流損失に伴う発熱の問題もある。渦電流損失に伴う発熱は、磁性膜の熱膨張を生じ、周波数が高くなるほど増大するから、転送速度の高速化に対応して、書込み電流が益々高周波化される傾向にある現在、その対策は極めて大きな問題である。
【０００９】
これらのコイル膜や絶縁膜及び磁性膜の熱膨張力により、保護膜が押し出されて、外部に膨出する。保護膜の膨出はＡＢＳにもおよび、ＡＢＳが誘導型電磁変換素子の部分で膨出してしまう。また、上述した発熱により、第１及び第２の磁性膜が熱膨張し、押えの弱いＡＢＳ側のポール端が膨出する。これらの膨出量は１０ｎｍにも達することがある。
【００１０】
この種の薄膜磁気ヘッドを用いた磁気ディスク装置では、高密度記録の要求に応えるため、磁気ディスクの面と、薄膜磁気ヘッドのＡＢＳとの間に発生する浮上量が、４０ｎｍ、３０ｎｍ、２０ｎｍ、１０ｎｍのように狭小化されつつあり、ＡＢＳに前述したような膨出が生じると、ヘッドクラッシュ、磁気ディスクの破損または磁気記録データの破壊等を招き易くなり、磁気ディスク装置の信頼性上、極めて大きな問題となる。
【００１１】
発熱に伴うもう一つの問題は、記録時において先頭となる部分に発生する不具合である。即ち、薄膜磁気ヘッドに供給される書込み電流は、周知のように、磁気記録の1セクタ毎に、プリアンブル部、シンクマーク部及びユーザデータ部で構成される。これらは、時間的系列関係で配列されたシリアルデータとなっている。
【００１２】
しかしながら、書込み動作を開始した直後の先頭部においては、ユーザデータ部の先頭から、十分な熱膨出を確保して、十分な書込み特性が得られると保証されるものではなく、エラーを生じやすい。
【００１３】
上述した問題点を解決するため、従来より種々の手段が提案されている。これらの手段は、熱膨出を抑制するタイプと、熱膨出は是認したままで、これを積極的に利用するタイプに分かれる。熱膨出を抑制するタイプとしては、
（１）コイルの抵抗値を小さくして、発熱量を抑える。
（２）書込み素子の下側に存在するアルミナ膜などの膜厚を薄くして、放熱効果を上げる。
（３）コアを小さくして、渦電流損失を低下させる。
などの手法が含まれる。
【００１４】
しかし、何れの場合も、磁気ヘッドの構造からくる制約のために、十分な効果を得ることができない。
【００１５】
熱膨出を積極的に利用するタイプとしては、例えば、特許文献１に見られるように、ヒータ部材を保護膜内に埋設して、書込み前に熱膨出を生じさせておくものが知られている。しかし、この構造の場合は、特別に、ヒータ部材を埋設しなければならないという問題点を回避することができない。
【００１６】
また、特許文献２は、無機絶縁保護膜の媒体対向面に、予め、窪みを設けておく技術を開示している。この窪みは、絶縁膜の熱膨張に起因する出っ張り量を考慮して、保護膜の媒体対向面側を出っ張らしておき、この状態で媒体対向面を平坦加工することによって形成する。
【００１７】
この先行技術は、熱膨張による膨出を抑えるのではなく、膨出を許容し、ただ、膨出によってＡＢＳが出っ張らないように、出っ張り部分を予め後退させておくという思想に立脚しているので、熱膨張による膨出の完全な解決手段とはならない。
【００１８】
上述のように、熱膨張による膨出を完全に抑えることが困難であることから、従来は、熱膨張による膨出が生じることを是認し、浮上量を、ヘッドクラッシュの生じない領域まで上げてその対策としていた。これは、高密度記録の障害となる。
【特許文献１】米国特許第５９９１１１３号明細書
【特許文献２】特開平４−３６６４０８号公報
【発明の開示】
【発明が解決しようとする課題】
【００１９】
本発明の課題は、熱膨出を生じさせた低浮上量の状態で、磁気ディスクに対して確実に書き込みをなし得る磁気ヘッドドライブ回路及びこれを用いた磁気ディスク装置を提供することである。
【課題を解決するための手段】
【００２０】
上述した課題を解決するため、本発明に係る磁気ヘッドドライブ回路は、書込み回路を含む。前記書込み回路は、書込みデータ信号が入力され、前記入力された信号に基づき、書込み電流を生成して出力する。前記書込み電流は、磁気記録の1セクタ毎に、プリアンブル部及びユーザデータ部を含む。前記プリアンブル部は、準備区間である。前記ユーザデータ部は、記録すべきデータのための部分であり、プリアンブル部よりも時間的に後に生成される。
【００２１】
本発明の特徴は、上記構成において、前記プリアンブル部における信号の周波数ｆ２が、前記ユーザデータ部における信号の周波数ｆ１の（１/２）の周波数よりも高周波の周波数であることにある。
【００２２】
従来、プリアンブル部における信号の周波数ｆ２は、ユーザデータ部における信号の周波数ｆ１の（１/２）の周波数を用いていたため、書込み動作を開始した直後の先頭部においては、十分な熱膨出を確保して、十分な書込み特性が得られると保証されるものではなく、エラーを生じやすかったのである。
【００２３】
本発明では、プリアンブル部における信号の周波数ｆ２は、ユーザデータ部における信号の周波数ｆ１の（１/２）の周波数よりも高周波の周波数であるから、書込み動作を開始した直後の先頭部においても、プリアンブル部における書き込み電流の高周波化によって発熱を促進させ、ユーザデータ部に至る段階では、十分に熱膨出させ、低浮上量で、高いライト特性を確保して、書き込み動作を実行することができる。
【００２４】
書き込み電流の位相を、書き込みデータ信号に合わせる観点からは、プリアンブル部における信号の周波数ｆ２は、ユーザデータ部における信号の周波数ｆ１の（１/２）の周波数の整数倍であることが好ましい。
【００２５】
本発明に係る磁気ヘッドドライブ回路は、別の態様として、前記プリアンブル部における信号の周波数ｆ２は、前記ユーザデータ部における信号の周波数ｆ１の（１/２）の周波数よりも高周波の成分ｆ３を含んでいてもよい。この場合の磁気ヘッドドライブ回路は、書込みデータ信号及びクロック信号が入力される。入力されたクロック信号の周波数は高調波成分ｆ３であり、前記書込みデータ信号と合成されて書込み電流が生成され、出力される。前記プリアンブル部における信号の周波数ｆ２は、前記ユーザデータ部における信号の周波数ｆ１の（１/２）の周波数と同じでもよい。この態様に係る磁気ヘッドドライブ回路も、先に述べた態様の場合と同様の作用効果を奏する。
【００２６】
本発明に係る磁気ヘッドドライブ回路は、更に読出し回路を含むことができる。
【００２７】
本発明に係る磁気ヘッドドライブ回路は、磁気ヘッドと、磁気ディスクと組み合わされ、磁気ディスク装置を構成する。この場合、前記磁気ヘッドは、前記磁気ヘッドドライブ回路から供給される前記書込み電流によって、前記磁気ディスクに磁気記録を与える。
【００２８】
本発明の他の特徴及びそれによる作用効果は、添付図面を参照し、実施例によって更に詳しく説明する。
【発明を実施するための最良の形態】
【００２９】
図1は本発明に係る磁気ヘッドドライブ回路を有する磁気ディスク装置について、第1の実施の形態を示す図、図２は基本的な1セクタの構成を示す図である。まず、図1を参照すると、磁気ヘッドドライブ回路１は、書込み回路３及び読出し回路４を含み、磁気ヘッド２と、磁気ディスク５と組み合わされ、磁気ディスク装置を構成する。
【００３０】
磁気ヘッド２は、磁気ヘッドドライブ回路１から供給される書込み電圧Ｗｘ、Ｗｙにより生じる書込み電流Ｉｗの作用により、磁気ディスク５に磁気記録を与える。
【００３１】
磁気ヘッド２は、書込み素子２１と、読取素子２２とを有する。書込み素子２１は、一般には、誘導型電磁変換素子で構成され、読取素子２２は、スピンバルブ膜（以下、ＳＶ膜と称する）又は強磁性トンネル接合素子（以下、ＴＭＲ素子と称する）などの巨大磁気抵抗効果素子（以下、ＧＭＲと称する）によって構成される。
【００３２】
書込み回路３には、書込みデータ信号Ｓｗ、シリアルインターフェース信号及び(W/R）ゲート信号Ｓｇが入力され、入力された信号に基づき、書込み電圧Ｗｘ、Ｗｙが出力される。書き込みデータ信号Ｓｗは周波数ｆ１の信号である。シリアルインターフェース信号は，書込み電流のオーバシュートの設定や、読出し電流の設定などのために用いられる。（W/R）ゲート信号Ｓｇは、書込み及び読出しのON、OFFを指令する。また、読取回路４からは、読取素子２２によって得られた再生信号を処理した読出しデータ信号Ｓｒが出力される。
【００３３】
図２は、基本的な１セクタの構成を示す図であり、１セクタ毎にプリアンブル部Ｔ１、シンクマーク部Ｔ２及びユーザデータ部Ｔ３で構成される。これらは、時間的系列関係で配列されたシリアルデータである。
【００３４】
プリアンブル部Ｔ１は、磁気ヘッド２の出力を読込み可能にするための準備区間である。シンクマーク部Ｔ２は、これ以降がデータであることを示すためのデータ開始位置情報である。ユーザデータ部Ｔ３は、記録すべきデータのための部分であり、当然のことながら、プリアンブル部Ｔ１よりも時間的に後に生成される。
【００３５】
本発明の特徴は、上記構成において、プリアンブル部Ｔ１における信号が、ユーザデータ部Ｔ３における信号の周波数ｆ１の（１/２）の周波数よりも高周波の周波数ｆ２である点にある。
【００３６】
従来、プリアンブル部Ｔ１における信号は、ユーザデータ部Ｔ３における信号の周波数ｆ１よりも低周波の周波数、具体的には、周波数ｆ１の（１/２）の周波数の信号を用いていたため、書込み動作を開始した直後の先頭部においては、ユーザデータ部Ｔ３の先頭から、十分な熱膨出を確保して、十分な書込み特性が得られると保証されるものではなく、エラーを生じやすかったのである。
【００３７】
本発明では、プリアンブル部Ｔ１における信号の周波数ｆ２が、ユーザデータ部Ｔ３における信号の周波数ｆ１の１／２の周波数よりも高周波であったり、ユーザデータ部Ｔ３における信号の周波数ｆ１の１／２の周波数に高調波の成分ｆ３を重畳させたりすることで、書込み動作を開始した直後の先頭部においても、ユーザデータ部Ｔ３に至る段階で、十分に熱膨出させ、低浮上量で、高いライト特性を確保して、書き込み動作を実行することができる。
【００３８】
図３はプリアンブル部Ｔ１に、本発明の第1の実施の形態を適用した波形を示す図である。図において、プリアンブル部Ｔ１における周波数ｆ２は４００ＭＨｚであり、ユーザデータ部における信号の周波数ｆ１（４００ＭＨｚ）の１／２の周波数の2倍の周波数を用いている。
【００３９】
図３において、従来の場合は、図示しないＲ／Ｗゲート信号Ｓｇが与えられると、書込みデ−タＳＷが書込み回路３に取り込まれ、書込み回路３の内部における信号処理により、書込み信号電圧Ｗｘ、Ｗｙ（図３（Ｂ）参照）が出力され、この書込み信号電圧Ｗｘ、Ｗｙの差分が書込み電流Ｉｗとなる。
【００４０】
従来は、プリアンブル部Ｔ１では、ユーザデータ部における信号の周波数ｆ１（４００ＭＨｚ）の１／２の周波数（２００ＭＨｚ）を持つ書込み電流Ｉｗを、書込み素子２１に供給していたが、本発明の第1の実施の形態では、プリアンブル部Ｔ１において、周波数ｆ１（４００ＭＨｚ）の１／２の周波数よりも高い周波数ｆ２（ここでは４００ＭＨｚ）を持つ書込み電流Ｉｗを、書込み素子２１に供給する（図３（Ｅ）参照）。これにより、プリアンブル部Ｔ１において、書込み電流Ｉｗの高周波化が行なわれる。
【００４１】
上記の波形制御処理は、主として、ユーザデータ部の書込み動作を開始した直後の先頭部を対象とするものであるが、全てのセクタで同様の処理を行う。
【００４２】
図４はユーザデータ部の書込み動作を開始した直後の先頭部のヘッドの状態を示す図であり、図４（Ａ）は、従来の駆動方式による場合を示し、図４（Ｂ）は、第1の実施の形態に係る本発明の駆動方式による場合を示している。磁気ヘッド６は、スライダ６１の内部に、書込み素子２１及び読み取り素子２２を備えている。書込み素子２１は、第１の磁性膜６２、第２の磁性膜６３、ギャップ膜６４及びコイル６５を含む。第１の磁性膜６２及び第２の磁性膜６３は、空気ベアリング面（以下ABSと称する）側の端部が、ポール部となっており、このポール部で書込みを行なう。読取素子２２は、書込み素子２１の下側にあって、下部シールド６７と上部シールド６９との間の絶縁膜６８の内部に配置されている。
【００４３】
従来の駆動方式では、図４（Ａ）に図示するように、磁気ヘッド６のポール部に熱膨張による隆起ＰＲは見られない。
【００４４】
これに対して、本発明の第1の実施の形態では、図４（Ｂ）に図示するように、磁気ヘッド６のポール部が熱膨張し、隆起ＰＲが発生する。このため、ユーザデータ部の書込み動作を開始した直後の先頭部から、低浮上量で、高いライト特性を確保し得る。
【００４５】
図５は、書込み電流の周波数（ＭＨｚ）と、膨出量との関係を示す図である。図示するように、書込み電流の周波数が上昇すると、それにつれて、膨出量が増大する。従って、書込み電流の高周波化によって、熱膨出させることができる。熱膨出量は、周波数にほぼ比例するから、周波数の調整によって、熱膨出量をコントロールし得ることも明らかである。
【００４６】
次に実測データを上げて説明する。図６はユーザデータ部における従来の書込み方法によって得られたオーバライト特性（以下、Ｏ／Ｗ特性と称する）である。横軸に時間（秒）をとり、縦軸にＯ／Ｗ特性（−ｄB）をとってある。
【００４７】
このときの、ユーザデータ部Ｔ３における信号の周波数ｆ１は４００ＭＨｚであり、プリアンブル部Ｔ１における信号の周波数ｆ２は２００ＭＨｚである。図示するように、ユーザデータ部の書込み動作を開始した直後の先頭部のＯ／Ｗ特性は低く、時間とともに上昇し、安定する。従来は、このような、時間的なＯ／Ｗ特性の変化が、装置でのエラーを生じさせる原因となっていたのである。
【００４８】
図７は本発明の第1の実施の形態の書込み方法によって得られたＯ／Ｗ特性を示す図である。この例では、ユーザデータ部Ｔ３における信号の周波数ｆ１は４００ＭＨｚであり、プリアンブル部Ｔ１における信号の周波数ｆ２は４００ＭＨｚである。つまり、プリアンブル部Ｔ１における信号の周波数ｆ２が、ユーザデータ部Ｔ３における信号の周波数ｆ１の１／２の周波数の2倍となっている。
【００４９】
図７に示すように、ユーザデータ部の書込み動作を開始した直後の先頭部のＯ／Ｗ特性は高い値となっており、その後安定している。すなわち、ユーザデータ部の書込み動作を開始した直後の先頭部の磁気ヘッド６のポール部が熱膨張し隆起ＰＲが発生したため、ユーザデータ部の書込み動作を開始した直後の先頭部から、低浮上量で、高いＯ／Ｗ特性が確保されている。
【００５０】
従って、プリアンブル部Ｔ１における信号の周波数ｆ２が、ユーザデータ部Ｔ３における信号の周波数ｆ１の１／２の周波数よりも高周波である場合、ユーザデータ部の書込み動作を開始した直後の先頭部の磁気ヘッド６のポール部が熱膨張し隆起ＰＲが発生するため、ユーザデータ部の書込み動作を開始した直後の先頭部から、低浮上量で、高いライト特性が確保されるという効果が確認された。
【００５１】
次に、本発明の第２の実施の形態について説明する。第２の実施の形態は、プリアンブル部Ｔ１における信号の周波数ｆ２が、ユーザデータ部Ｔ３における信号の周波数ｆ１の１／２の周波数よりも高調波の成分ｆ３を含む場合である。
【００５２】
図８は、本発明の第２の実施の形態に係る磁気ヘッドドライブ回路を有する磁気ディスク装置の構成を示す図である。図８では、図１に示した実施例との対比において、書込み回路３に入力される信号として、クロック信号Ｓｃと（Ｐ／Ｄ）ゲート信号Ｓｇ２とが追加されている。
【００５３】
図９は第２の実施の形態におけるプリアンブル部の波形を示す図である。プリアンブル部Ｔ１における書込みデータ信号の基本の周波数ｆ２は２００ＭＨｚであり、ユーザデータ部Ｔ３における信号の周波数ｆ１（４００ＭＨｚ）の１／２の周波数である。
【００５４】
例えば、図９のように（Ｐ／Ｄ）ゲート信号Ｓｇ２がＬＯＷ状態で、クロック信号ＳｃがＤＯＷＮ状態の場合に、ユーザデータ部Ｔ３における信号の周波数ｆ１の１／２の周波数の高調波の成分ｆ３が、プリアンブル部Ｔ１の書込みデータ信号の基本となる周波数ｆ２に重畳するようにしておくことで、結果的に、図９（Ｅ）に示す書込み電流Ｉｗが得られる。
【００５５】
図５において、書込み信号の周波数が高いほど発熱量が増えると説明したが、書込み電流Ｉｗの波形に図９（Ｅ）の書込み電流Ｉｗのように、ピークが多い場合にも発熱量が大きくなる。
【００５６】
従って、本発明の第２の実施の形態において、プリアンブル部Ｔ１における信号の周波数ｆ２が、ユーザデータ部Ｔ３における信号の周波数ｆ１の１／２の周波数の高調波の成分ｆ３を重畳された場合、ユーザデータ部の書込み動作を開始した直後の先頭部の磁気ヘッド６のポール部が熱膨張し隆起ＰＲが発生するため、ユーザデータ部の書込み動作を開始した直後の先頭部から、低浮上量で、高いライト特性が確保される。
【００５７】
上記の波形制御処理は、主として、ユーザデータ部の書込み動作を開始した直後の先頭部を対象とするものであるが、全てのセクタで同様の処理を行う。
【００５８】
図１０は図１及び図８に図示した磁気ディスク装置の具体的な構造を示す斜視図である。図示された磁気ディスク装置は、軸７０の回りに回転可能に設けられた磁気ディスク５と、磁気ディスク５に対して情報の記録及び再生を行う薄膜磁気ヘッド２と、薄膜磁気ヘッド２を磁気ディスク５のトラック上に位置決めするためのアッセンブリキャリッジ装置７３とを備えている。
【００５９】
アセンブリキャリッジ装置７３は、軸７４を中心にして回動可能なキャリッジ７５と、このキャリッジ７５を回動駆動する例えばボイスコイルモータ(ＶＣＭ)からなるアクチュエータ７６とから主として構成されている。
【００６０】
キャリッジ７５には、軸７４の方向にスタックされた複数の駆動アーム７７の基部が取り付けられており、各駆動アーム７７の先端部には、薄膜磁気ヘッド２を搭載したヘッドサスペンションアッセンブリ７８が固着されている。各ヘッドサスペンションアセンブリ７８は、その先端部に有する薄膜磁気ヘッド２が、各磁気ディスク５の表面に対して対向するように駆動アーム７７の先端部に設けられている。図１及び図８に示した磁気ヘッドドライブ回路１は、アクチュエータ７６の隣に備えられている。但し、磁気ヘッドドライブ回路１は、外部に設けてもよい。図１０に示した磁気ディスク装置は、図１〜図９を参照して説明した作用効果を奏する。
【００６１】
図１１は図１０に図示された薄膜磁気ヘッドの一例を示す図で、媒体対向面側から見た平面図、図１２は図１１に図示された薄膜磁気ヘッドの断面図、図１３は図１１及び図１２に図示された薄膜磁気ヘッドの磁気変換素子部分を拡大して示す図である。図示された薄膜磁気ヘッド２は、スライダ基体６１と、書込み素子２１及び読取素子２２とを含む。
【００６２】
スライダ基体６１は、例えば、アルティック（Ａｌ2Ｏ3−ＴｉＣ）等のセラミック材料からなり、媒体対向面に浮上特性制御用の幾何学的形状を有している。そのような幾何学的形状の代表例として、実施例では、スライダ基体６１の基底面８０に、第１の段部８１、第２の段部８２、第３の段部８３、第４の段部８４、及び、第５の段部８５を備える例を示してある。基底面８０は、矢印Aで示す空気の流れ方向に対する負圧発生部となり、第２の段部８２及び第３の段部８３は、第１の段部８１から立ち上がるステップ状の空気軸受けを構成する。第２の段部８２及び第３の段部８３の表面はＡＢＳとなる。
【００６３】
第４の段部８４は、基底面８０からステップ状に立ち上がり、第５の段部８５は第４の段部８４からステップ状に立ちあがっている。書込み素子２１及び読取素子２２は第５の段部８５に設けられている。
【００６４】
図１３を参照すると、スライダ基体６１の端面には絶縁膜６１１が設けられている。絶縁膜６１１は、例えば、酸化アルミニウム（Ａｌ2Ｏ3）、ＳｉＯ2等の絶縁材料からなり、１〜５μｍの厚みである。
【００６５】
読取素子２２は、ＭＲ素子６６を含む。ＭＲ素子６６は、ＳＶ膜またはＴＭＲ膜を含んでいる。ＳＶ膜の場合は、ＣＩＰタイプまたはＣＰＰタイプが用いられる。ＴＭＲ膜は、本来、膜面に垂直にセンス電流を流すものである。
【００６６】
書込み素子２１は、誘導型磁気変換素子であり、書込用の第１のポール部がＡＢＳに面している。書込み素子２１は、MＲ素子６６と近接して配置され、保護膜６１２によって覆われている。ＭＲ素子６６は、第１のシールド層６７と第２のシールド層６２との間の絶縁ギャップ層６８の内部に配置されている。
【００６７】
書込み素子２１は、第１の磁性層６２と、第２の磁性膜６３と、記録ギャップ層６５と、薄膜コイル６４とを含む。第１の磁性層６２は第２の磁性膜６３と磁気的に連結されている。記録ギャップ層６５は第１の磁性層６２の磁極部分Ｐ１と、第２の磁性膜６３を構成する第２のポール部Ｐ２との間に設けられている。薄膜コイル６４は、第１の磁性層６２及び第２の磁性膜６３の間に存在するインナーギャップ内の絶縁膜６９内に、絶縁された状態で配設されている。
【００６８】
第２の磁性膜６３は、上部ポール部Ｐ２が、第１の磁性層６２の第１のポール部Ｐ１と、記録ギャップ層６５を介して向き合っている。第２の磁性膜６３は、上部ポール部Ｐ２から見て後方側において、第１の磁性層６２に結合され、それによって薄膜磁気回路を構成する。
【００６９】
図１４は図１０の磁気ディスク装置に用いられている磁気ヘッド装置の正面図、図１５は図１４に示した磁気ヘッド装置の底面図である。図示された磁気ヘッド装置は、図１３に示した薄膜磁気ヘッド２と、ヘッドサスペンション７８とを含む。ヘッドサスペンション７８は、金属薄板でなる支持体７８０の長手方向の一端にある自由端に、同じく金属薄板でなる可撓体を取付け、この可撓体の下面に薄膜磁気ヘッド２を取付けた構造となっている。
【００７０】
具体的には、可撓体は、支持体７８０の長手方向軸線と略平行して伸びる２つの外側枠部７８１、７８２と、支持体７８０から離れた端において外側枠部７８１、７８２を連結する横枠７８３と、横枠７８３の略中央部から外側枠部７８１、７８２に略平行するように延びていて先端を自由端とした舌状片７８４とを有する。横枠７８３のある方向とは反対側の一端は、支持体７８０の自由端付近に溶接等の手段によって取付けられている。
【００７１】
支持体７８０の下面には、例えば半球状の荷重用突起７８５が設けられている。この荷重用突起７８５により、支持体７８０の自由端から舌状片７８４へ荷重力が伝えられる。
【００７２】
薄膜磁気ヘッド２は、舌状片７８４の下面に接着等の手段によって取付けられている。薄膜磁気ヘッド２は、ピッチ動作及びロール動作が許容されるように支持されている。
【００７３】
本発明に適用可能なヘッドサスペンション７８は、上記実施例に限定するものではなく、これまで提案され、またはこれから提案されることのあるヘッド支持装置を、広く適用できる。例えば、支持体７８０と舌状片７８４とを、タブテープ（ＴＡＢ）等のフレキシブルな高分子系配線板を用いて一体化したもの等を用いることもできる。また、従来より周知のジンバル構造を持つものを自由に用いることができる。
【００７４】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００７５】
【図１】本発明に係る磁気ヘッドドライブ回路を有する磁気ディスク装置の回路構成を示す図である。
【図２】先頭セクタにおける構成を示す図である。
【図３】本発明に係る第1の実施の形態に係る波形図である。
【図４】磁気ヘッドのポール部の膨出量との関係を示す図で、図４（Ａ）が従来例を示し、図４（Ｂ）が本発明を示している。
【図５】書込み電流の周波数と、膨出量との関係を示す図である。
【図６】従来の磁気ヘッドドライブ回路によって得られたＯ／Ｗ特性である。
【図７】本発明に係る磁気ヘッドドライブ回路によって得られたＯ／Ｗ特性である。
【図８】本発明の第２の実施の形態に係る磁気ヘッドドライブ回路を用いた磁気ディスク装置の回路構成を示す図である。
【図９】図８に示した磁気ヘッドドライブ回路を用いた波形図である。
【図１０】図１及び図８に図示した磁気ディスク装置の具体的な構造を示す斜視図である。
【図１１】薄膜磁気ヘッドの一例を示す図で、媒体対向面側から見た平面図である。
【図１２】図１１に図示された薄膜磁気ヘッドの断面図である。
【図１３】図１１及び図１２に図示された薄膜磁気ヘッドの磁気変換素子部分を拡大して示す図である。
【図１４】図１０の磁気ディスク装置に用いられている磁気ヘッド装置の正面図である。
【図１５】図１４に示した磁気ヘッド装置の底面図である。
【符号の説明】
【００７６】
１            磁気ヘッドドライブ回路
２            磁気ヘッド
３            書込み回路
２１          書込み素子
Ｗｘ、Ｗｙ    書込み電流
Ｓｗ          書込みデータ信号
Ｓｃ          波形制御信号
Ｓｇ          ゲート信号
【図１】
2005251312.tif 000003
【図２】
2005251312.tif 000004
【図３】
2005251312.tif 000005
【図４】
2005251312.tif 000006
【図５】
2005251312.tif 000007
【図６】
2005251312.tif 000008
【図７】
2005251312.tif 000009
【図８】
2005251312.tif 000010
【図９】
2005251312.tif 000011
【図１０】
2005251312.tif 000012
【図１１】
2005251312.tif 000013
【図１２】
2005251312.tif 000014
【図１３】
2005251312.tif 000015
【図１４】
2005251312.tif 000016
【図１５】
2005251312.tif 000017